(57)【要約】      （修正有）【課題】ケース内にイオン流れを生じる風洞室を、陰極、陽極を含む電極と共に電源回路から着脱自在に接続し、取外し可能とした空気清浄機の提供。【解決手段】空気清浄機ＡＣは、ケース１内に風洞室１０と電源回路とを設け、風洞室１０内に高電圧を印加して電子を放出し空気中の塵埃にマイナスの電荷を与える陰極１１ａ、１１ｂと、マイナスイオン化された塵埃を吸着して空気流れを生じる高電圧の陽極１２ａ、１２ｂとを設け、風洞室１０に対向して上記両電極を高圧電源に接続する接続端子の端子ピンＰ1〜Ｐ4、端子孔Ｐ1’〜Ｐ4’を有する端子板を設け、接続端子を両電極に対し、嵌合、分離できるようにして着脱自在とし、メンテナンス作業の際に風洞室１０を取出して両電極に付着した塵埃を除去可能に構成したものである。【選択図】図１
0003117159.tif 000002
【実用新案登録請求の範囲】
【請求項１】
窓を有するケース１内に、高電圧を印加して電子を放出し空気中の塵埃にマイナスの電荷を与える陰極１１ａ、１１ｂ、及びマイナスイオン化された塵埃を吸着して空気流れを生じる高電圧の陽極１２ａ、１２ｂを有する風洞室１０と、風洞室１０に設けた上記両電極を高電圧源に接続する接続端子Ｐを介して接続する端子板１０Tとを設け、接続端子Ｐを両電極１１ａ、１１ｂ、１２ａ、１２ｂに対し着脱自在とすることにより風洞室１０を端子板１０Tに対して着脱自在とした空気清浄機。
【請求項２】
前記接続端子を、端子ピンＰ1〜Ｐ4とこれを嵌合自在に挿入、引抜きして互いに着脱自在とする端子孔Ｐ1’〜Ｐ4’により形成し、端子ピンと端子孔のいずれか一方を風洞室１０に、他方を端子板１０Tに設けたことを特徴とする請求項１に記載の空気清浄機。
【請求項３】
前記ケース１に開閉自在な蓋板３を設け、蓋板３を開放して風洞室１０を端子板１０Tから取外して、風洞室１０を２つの部材に分離自在とし、その一方の部材に前記両電極１１ａ、１１ｂ、１２ａ、１２ｂを設け、他方の部材を取外して両電極１１ａ、１１ｂ、１２ａ、１２ｂを露出できるように形成したことを特徴とする請求項１又は２に記載の空気清浄機。
【考案の詳細な説明】
【技術分野】
【０００１】
この考案は、コロナ放電によりマイナスイオン化されて誘起されるイオン風を利用して空気中の塵埃を集塵部で除去する空気清浄機に関する。
【背景技術】
【０００２】
コロナ放電によりイオン風を誘起して空気中に含まれる塵埃を除去する空気清浄機は、基本的には高電圧を印加した陰極から放出する電子によって空気中の塵埃にマイナスの電荷を与え、高電圧の陽極にマイナスイオン化された塵埃を引き寄せてイオン風を生じさせ、陽極による集塵部で空気中の塵埃を吸着除去する方式が一般的である。このような空気清浄機にはファンを使用せずに高電圧の電極間でイオン風を誘起して空気中の塵埃を除去する形式と、この形式のものにファンを取付けた形式のものとがある。
【０００３】
ファンを設けていない空気清浄機の一例として特許文献１の「空気清浄器」が公知である。この空気清浄器は、安価なプラスチック製の本体を用いた場合に、高電圧でプラスチックが帯電し、手で触れると感電又は感電ショックを起すことがあるため、帯電した静電荷を逃がす手段として、導電性材料のテープを本体周囲に貼着し、抵抗を介してテープの電荷を一次側の電気回路に逃がすようにしたというものである。
【０００４】
ファンを設けた空気清浄機の一例として特許文献２の「空気清浄機」が公知である。この空気清浄機は、一般に放電線に塵埃が付着し易く、放電線を清掃する必要があるが、放電線のメンテナンスに関して特別な対策が施されていないのに対し、放電線の両端を金属板を介して合成樹脂製の取付ケースに係着し、取付ケースをその一端に形成した弾性片を本体に弾性係着して本体に着脱自在に装着し、一方の金属板を弾性片に添着することにより弾性片を補強したというものである。
【０００５】
しかし、上記いずれの空気清浄機も電極又は放電線に塵埃を吸着して空気清浄化する方式であるから、電極又は放電線に塵埃が付着、堆積するが、その塵埃の除去については特許文献１では全く言及されていないし、又特許文献２では放電線のメンテナンスについて言及しているが、メンテナンスの際陰極線の両端の金属板を取付ケース内に着脱自在としたというに過ぎず、陰極線、対向電極を含む電極に付着した塵埃をどのように取除くかについては、何ら説明されていない。
【特許文献１】実公平２−４３４９５号公報
【特許文献２】特開平１０−９９７２０号公報
【考案の開示】
【考案が解決しようとする課題】
【０００６】
この考案は、上記の問題に留意して、ケース内にイオン流れを生じる風洞室を、陰極、陽極を含む電極と共に電源回路から着脱自在に接続し、取外し可能とし専門家に依頼することなくユーザが簡単にメンテナンス作業を行うことができるようにした空気清浄機を提供することを課題とする。
【課題を解決するための手段】
【０００７】
この考案は、上記の課題を解決する手段として、ケース内に、高電圧を印加して電子を放出し空気中の塵埃にマイナスの電荷を与える陰極、及びマイナスイオン化された塵埃を吸着して空気流れを生じる高電圧の陽極を有する風洞室と、風洞室に対向して上記両電極を高電圧源に接続する接続端子を介して接続する端子板とを設け、接続端子を両電極に対し着脱自在に接続可能とすることにより風洞室を端子板に対して着脱自在とした空気清浄機としたのである。
【０００８】
上記の構成としたこの考案の空気清浄機では、ケースに流入する塵埃を含む空気を風洞室内の陰極と陽極の作用によりイオン化されたイオン流れとして陽極に塵埃を吸着し、清浄化する。清浄化された新鮮な空気はケースの窓から吹き出され、室内に供給される。このような清浄空気を発生させる風洞室は、ケース内の電源回路の接続線の端部を接続した端子板に対して着脱自在に取付けられる。風洞室には陰極と陽極の電極が所定の間隔で設けられており、これら電極に対して風洞室と端子板間に接続端子が着脱自在に設けられている。
【０００９】
このため、この空気清浄機を長期間使用して風洞室内の電極に空気中の塵埃を吸着して塵埃が堆積した場合、これら塵埃を取除くためのメンテナンス作業を必要とする。このメンテナンス作業ではケースを開き、風洞室をケース内の壁面に設けられている端子板から引き抜き、外部へ取り出して風洞室を開放すれば電極が露出される。この状態で電極及び／又はその近辺壁面に付着している塵埃を取り除き、再び風洞室を閉じてケース内の端子板に取り付ければメンテナンス作業は完了する。従って、このようなメンテナンス作業はユーザが簡単に行なうことができ、従来のように専門家に依頼する必要はなくなる。
【考案の効果】
【００１０】
以上のように、この考案の空気清浄機は、ケースを開放してケース内の電極を取付けた風洞室をケース内の端子板から取り外し、風洞室を開放することにより露出した電極及び／又はその付近の壁面に付着した塵埃を取り除くことができるようにしたから、長期使用したことによって電極及び／又はその付近の壁面に付着した塵埃をユーザが簡単に取り除くことができ、メンテナンスのため本体を専門家に送り、塵埃をその都度取り除くという作業は不要となるという利点が得られる。
【考案を実施するための最良の形態】
【００１１】
以下、この考案の実施の形態について図面を参照して説明する。図１の（ａ）は実施形態の空気清浄機の外観斜視図、（ｂ）図は電極へ電源を供給する電源回路の概略構成図を示す。図示のように、空気清浄機ＡＣは、木製のケース１の本体２に着脱自在に取付けられる蓋板（断面視Ｌ字形）３をねじ止め（背部、図示省略）した中空箱形のケース１内に風洞室１０及び（ｂ）図で示す電源回路の定電圧回路、高電圧発生回路等（（ａ）図では図示省略）が収納されて形成されている。４はメインスイッチ、５はＵＶランプスイッチ、６は表示ランプ、７は蓋開閉スイッチ、８は気流吹出用の空気窓、９は空気吸入孔である。
【００１２】
風洞室１０は、図３に示すように、内部が中空状の平面視長方形の箱形で両端が開放され、発生した気流を空気窓８から流出させ、ケース本体２の空気吸入孔９から取入れられる空気を吸込むように形成されている。又、この風洞室１０は、断面視コ字状の上半部材１０ａと同形状の下半部材１０ｂとを接合部１０CLで互いにコ字状端部を対向する向きに嵌合し、必要に応じて２つに分離可能に形成されている。１０L1は嵌合形のヒンジ、１０L2は嵌合形のロック部材であり、ロック部材１０L2を外すことにより風洞室１０は２つに開放自在とされている。
【００１３】
上記風洞室１０の下半部材１０ｂの内底面には、高電圧を印加して電子を放出し空気中の塵埃にマイナスの電荷を与えてマイナスイオン化するトリガ電極と呼ばれる陰極１１ａ、マイナスイオン化された塵埃を吸着して空気流れを生じる対向電極と呼ばれる高電圧の陽極１２ａ、及びこれと同じもう１対の陰極１１ｂ、陽極１２ｂの２対の高圧電極対が設けられている。
【００１４】
上記陰極１１ａ、１１ｂは、後述する端子板１０Tの端子ピンＰ1、Ｐ3が嵌合接続される端子孔Ｐ1’、Ｐ3’の金具で下半部材１０ｂに固定され、陽極１２ａ、１２ｂは、風洞室１０から下向きに突出する端子ピンＰ2、Ｐ4の金具で固定されている。又、後述するＵＶ（紫外線）ランプ１５の接続コード端も下向きの端子ピンＰ5、Ｐ6の金具で固定されている。なお、上記端子ピン、端子孔を含む接続端子Ｐ（Ｐ1〜Ｐ6、Ｐ1、Ｐ3、後述するＰ2’、Ｐ4’〜Ｐ6’を代表する部材であり、記号Ｐは図示省略している）は、端子ピン、端子孔の形式に限らず高圧電極対を接続できればよい。
【００１５】
図１の（ｂ）図に示す電源回路は、整流回路を含む定電圧回路１２、その出力をオン／オフに切換えるスイッチ回路１３、上記出力をトランスにより１万Ｖ程度の高電圧に変換する２組の高電圧発生回路１４から成り、この２組の高電圧発生回路１４（１４ａ、１４ｂ）から前述した２対の高電圧の電極１１ａ、１２ａ、及び１１ｂ、１２ｂに電源が供給される。但し、スイッチ回路１３のメインスイッチ４の出力線は、２組の高電圧発生回路１４ａ（後方）、１４ｂ（前方）のうち一方の回路１４ｂには直接接続され、他方の回路１４ａにはＵＶランプスイッチ５を介して接続されている。
【００１６】
メインスイッチ４をオンとし、ＵＶランプスイッチ５をオン（後方側）に設定すると、後方の高電圧発生回路１４ａからの供給電圧が定電圧回路１２内を経由して供給され、２対の高電圧の電極１１ａ、１２ａと、１１ｂ、１２ｂが共にオンとなり、ＵＶランプスイッチ５をオフにすると後方の高電圧の電極１１ａ、１２ａだけがオフとなるように設けられている。１６は商用電源（１００Ｖ）への接続コードである。なお、表示ランプ６はメインスイッチ４がオンである限り、ＵＶランプスイッチ５をオンとすると赤色、オフにすると白色の表示をする。
【００１７】
図２に空気清浄機ＡＣの本体ケース２から蓋板３を取除いた状態の平面図を示す。図中の右半位置に風洞室１０（一点鎖線で示す）を取除いた後の端子板１０T、左半位置に電源回路の各構成部材を配置した配置構成を示している。又、図３に端子板１０Tに着脱自在に取付けられる風洞室１０を取除いた状態の部分分解斜視図を示す。図示のように、端子板１０Tには、陰極１１ａ（後）、１１ｂ（前）の接続端子の端子ピン（雄）Ｐ1、Ｐ3が上向きに突出して設けられ、陽極１２ａ（後）、１２ｂ（前）の接続端子の端子孔（雌）Ｐ2’、Ｐ4’、及びＵＶランプ１５の接続端子の端子孔（雌）Ｐ5’、Ｐ6’がＰ2’とＰ3の間に配置されている。２つの１０GHは風洞室１０の脚部１０GL、１０GL（図４の（ｂ）図参照）を挿通するガイド用切欠部である。なお、配線ｌ1〜ｌ6は対応する陰極１１ａ、１１ｂ、陽極１２ａ、１２ｂ、ＵＶランプ１５への接続コードである。
【００１８】
上記端子ピンＰ1、Ｐ3は、端子孔Ｐ1’、Ｐ3’に対し密着状に嵌合、引抜きして電気的な接続、分離が可能な互いに同径で着脱自在な接続端子として設けられている。又、前述した風洞室１０に設けられる端子ピンＰ2、Ｐ4、及びＰ5、Ｐ6と端子孔Ｐ2’、Ｐ4’、Ｐ5’、Ｐ6’についても同様に設けられている。又、図３に示すように端子板１０Tは、下部四隅に脚部１０TLを有し、端子板１０Tの上面を本体ケース２の内底面より少し持上げた状態で固定されている。この端子板１０Tの前方には張出部１０TEが一体に張出して設けられ、その前端面に空気流れを通す窓孔８Xが形成されている。そして、この窓孔８Xに対向して本体ケース２の前面の空気窓８内面付近にグリッド８Gが取付けられている。なお、上記風洞室１０及び端子板１０Tも共に硬質のプラスチック材（厚さ約２ｍｍ）で形成されている。
【００１９】
図２の左半位置に示す電源回路の各構成部材は次のように配置されている。外部商用電源からの接続コード１６はコード保持部材１２Gを経て変圧トランス１２ａ（図１の（ｂ）図では図示省略）に接続され、その出力線は定電圧回路パネル１２ｐ上のヒューズ１２ｂ、整流器１２ｃ、コンデンサ１２ｄ、ＩＣ回路１２ｅ等を含む定電圧回路１２を経て定電圧として出力され、その出力線はスイッチパネル１３ｐ上のスイッチ回路１３へ接続されている。スイッチパネル１３ｐでは上記定電圧の出力線を蓋開閉スイッチ７（図１の（ｂ）図参照）を経てメインスイッチ４に接続している。メインスイッチ４、ＵＶランプスイッチ５からの出力線は２つの高電圧発生回路１４ａ、１４ｂから２対の高圧電極１１ａ、１２ａ、及び１１ｂ、１２ｂにそれぞれ接続されていることは前述した通りである。
【００２０】
上記の構成とした実施形態の空気清浄機ＡＣは、使用状態ではケース１の本体２に蓋板３を取付けて閉じているため、蓋開閉スイッチ７がオンとなっており、メインスイッチ４を押込んでオンにすると前方の高電圧発生回路１４ｂから高電圧が高圧電極である陰極１１ｂ、陽極１２ｂに供給され、風洞室１０内の空気に含まれる塵埃が陽極１２ｂである対向電極に吸着されてイオン風を生じさせ、清浄化されたクリーンな空気が空気窓８から吐出される。未清浄の空気は本体ケース２の背面の空気吸入孔９から吸入される。ＵＶランプスイッチ５をオンにすると、後方の高電圧発生回路１４ａも作動し、高圧電極１１ｂ、１２ｂによりイオン風を発生させると共に、ＵＶランプ１５もオンとなり、紫外線を発生させてオゾン０３が発生する。従って、イオン風の流れは空気中に浮遊する菌を殺菌しながら、塵埃を除去して清浄化された空気を送り出す。
【００２１】
上記の如く空気清浄、殺菌作用をする空気清浄機ＡＣの使用を数ヶ月以上連続して行なうと、高圧電極である陽極１２ａ、１２ｂに塵埃が吸着されて次第にその量が増加し、塵埃の付着量が多量になると、空気清浄機のＡＣの機能が低下するため、塵埃の除去が行われなくなる。このため、この実施形態の空気清浄機ＡＣは、ケース１の本体２から蓋板３を取外し可能となっており、これを取外すと、さらに図３のように風洞室１０も端子板１０Tから取外し可能となっている。従って、メンテナンスのため電源への接続コード１６を外した状態で蓋板３と風洞室１０を順次取外した後、風洞室１０をケース１の外へ取出す。
【００２２】
この場合、風洞室１０は、前述したように、接続端子の端子ピンＰ1〜Ｐ6がそれぞれの端子孔Ｐ1’〜Ｐ6’から引抜かれることにより端子板１０Tから簡単に取外すことができる。さらに、風洞室１０は、図３に示す上半部材１０ａと下半部材１０ｂについて、ロック部材１０L2を引き上げることによりヒンジ１０L1を中心に上半部材１０ａを回転させて開き、その状態で、あるいはその後ヒンジ１０L1を外すことにより上半部材１０ａを下半部材１０ｂから分離して、下半部材１０ｂ上に露出した高圧電極の陰極、陽極１１ａ、１２ａ、及び１１ｂ、１２ｂに付着した塵埃を除く。
【００２３】
上記高圧電極１１ａ、１２ａ、と１１ｂ、１２ｂに付着した塵埃は、各電極が金属板であるため布、ティッシュなどで拭き取れば、簡単に誰でも除去できる。但し、ＵＶランプ１５はガラス管で出来ているため、強い力を加えたり又は硬い物体を当てないように注意する必要がある。塵埃が全て除去されると、再び風洞室１０の上半部分１０ａを下半部分１０ｂに嵌合、取付け、さらに各端子Ｐ1〜Ｐ6を端子孔Ｐ1’〜Ｐ6’に互いに嵌合させることにより風洞室１０を端子板１０Tに取付け、蓋板３をケース１の本体２に取付ければ、メンテナンス作業は終了する。
【００２４】
なお、図示の例では、端子ピンＰ1、Ｐ3、端子孔Ｐ2’、Ｐ4’を端子板１０Tに、端子ピンＰ2、Ｐ4、端子孔Ｐ1’、Ｐ3’を風洞室１０にそれぞれ設けたが、端子ピンと端子孔のいずれを風洞室１０と端子板１０Tのどちらに設けるかは任意であり、例えば端子ピンＰ1〜Ｐ4の全てを風洞室１０に、端子孔Ｐ1’〜Ｐ4’を端子板１０Tに設けてもよいし、あるいは逆の関係に設けてもよい。又、陰極１１ａ、１１ｂ、陽極１２ａ、１２ｂの数も任意であり、１対のみ、あるいは２対以上としてもよい。ケース１は木製としているが、プラスチック材を用いてもよい。
【産業上の利用可能性】
【００２５】
この考案の空気清浄機は、ケース内の高圧電極に堆積、付着する塵埃をユーザが簡単に取除くことができるようにしたものであり、全ての空気清浄機に上記のような機能を設けることにより広く利用し得るものである。
【図面の簡単な説明】
【００２６】
【図１】実施形態の空気清浄機の（ａ）外観斜視図、（ｂ）内部の電源回路の全体概略ブロック図
【図２】同上空気清浄機の蓋板と風洞室を外した状態の平面図
【図３】同上空気清浄機の風洞室付近の部分分解斜視図
【図４】同上空気清浄機の風洞室の（ａ）平面図、（ｂ）裏面図
【符号の説明】
【００２７】
１      ケース
２      本体
３      蓋板
４      メインスイッチ
５      ＵＶランプスイッチ
６      表示ランプ
７      蓋開閉スイッチ
８      空気窓
９      空気吸入孔
１０    風洞室
１０T   端子板
１１ａ、１１ｂ  陰極
１２ａ、１２ｂ  陽極
１３    スイッチ回路
１４ａ、１４ｂ  高電圧発生回路
１５    ＵＶランプ
１６    接続コード
Ｐ1〜Ｐ6  端子ピン
Ｐ1’〜Ｐ6’  端子孔
【図１】
0003117159.tif 000003
【図２】
0003117159.tif 000004
【図３】
0003117159.tif 000005
【図４】
0003117159.tif 000006